(57)【要約】【課題】ベアラを復旧させるための制御負荷の増大を抑えることができるネットワークを提供する。【解決手段】ネットワークは、第１装置と第２装置との間に設定されるベアラを中継する中継装置と、前記ベアラの設定のために前記中継装置を制御する制御装置と、を含み、前記制御装置は、前記ベアラの設定制御のために使用する管理情報を保持し、前記中継装置は、前記ベアラの中継のために使用する接続情報と、前記管理情報を保持し、前記制御装置は、さらに、前記接続情報のうち、前記第１装置と前記第２装置との間に設定される前記ベアラを前記中継装置から他の中継装置に迂回させるのに必要な第１情報を保持する。【選択図】図５
2018133777.tif 000002
【特許請求の範囲】
【請求項１】
第１装置と第２装置との間に設定されるベアラを中継する中継装置と、前記ベアラの設定のために前記中継装置を制御する制御装置と、を含むネットワークであって、
前記制御装置は、前記ベアラの設定制御のために使用する管理情報を保持し、
前記中継装置は、前記ベアラの中継のために使用する接続情報と、前記管理情報を保持し、
前記制御装置は、さらに、前記接続情報のうち、前記第１装置と前記第２装置との間に設定される前記ベアラを前記中継装置から他の中継装置に迂回させるのに必要な第１情報を保持することを特徴とするネットワーク。
【請求項２】
前記第１情報は、前記中継装置が、前記第１装置に送信する前記ベアラに対応する信号と、前記第２装置に送信する前記ベアラに対応する信号を、前記第１装置及び前記第２装置に特定させるために使用する情報を含むことを特徴とする請求項１に記載のネットワーク。
【請求項３】
前記制御装置は、前記中継装置の障害を検出すると、前記他の中継装置に前記管理情報と前記第１情報を送信することを特徴とする請求項１又は２に記載のネットワーク。
【請求項４】
前記制御装置は、前記他の中継装置に前記管理情報と前記第１情報を送信したことの応答として前記他の中継装置から受信した第２情報と、前記他の中継装置を特定する情報と、前記ベアラを特定する情報と、を前記第１装置に通知する処理を行い、
前記第２情報は、前記他の中継装置が、前記第１装置から受信する信号のうち、前記ベアラに対応する信号を特定するために使用する情報であることを特徴とする請求項３に記載のネットワーク。
【請求項５】
前記制御装置は、前記他の中継装置に前記管理情報と前記第１情報を送信したことの応答として前記他の中継装置から受信した第３情報と、前記他の中継装置を特定する情報と、前記ベアラを特定する情報と、を前記第２装置に通知する処理を行い、
前記第３情報は、前記他の中継装置が、前記第２装置から受信する信号のうち、前記ベアラに対応する信号を特定するために使用する情報であることを特徴とする請求項４に記載のネットワーク。
【請求項６】
前記ネットワークは、移動通信ネットワークのコアネットワークであり、かつ、前記ベアラを使用するユーザ装置の状態を管理する管理エンティティを備えており、
前記中継装置は、前記第２情報と、前記第３情報と、前記他の中継装置を特定する情報と、前記ベアラを特定する情報と、を前記管理エンティティに通知する処理を行い、
前記管理エンティティが、前記第３情報と、前記他の中継装置を特定する情報と、前記ベアラを特定する情報と、を前記第２装置に通知することを特徴とする請求項５に記載のネットワーク。
【請求項７】
前記管理エンティティは、前記ユーザ装置の状態がアクティブであると、前記第３情報と、前記他の中継装置を特定する情報と、前記ベアラを特定する情報と、を前記第２装置に通知し、前記ユーザ装置の状態がアイドルであると、前記第３情報と、前記他の中継装置を特定する情報と、前記ベアラを特定する情報と、を前記第２装置に通知しないことを特徴とする請求項６に記載のネットワーク。
【請求項８】
前記中継装置は、前記制御装置の障害を検出すると、他の制御装置に前記管理情報と前記接続情報を送信することを特徴とする請求項１から７のいずれか１項に記載のネットワーク。
【請求項９】
前記他の制御装置は、前記中継装置から前記管理情報及び前記接続情報を受信すると、前記ベアラの制御が前記制御装置から前記他の制御装置に変更されたことを、前記第１装置の制御装置に通知する処理を行うことを特徴とする請求項８に記載のネットワーク。
【請求項１０】
前記ネットワークは、移動通信ネットワークのコアネットワークであり、かつ、前記ベアラを使用するユーザ装置の状態を管理する管理エンティティを備えており、
前記他の制御装置は、前記中継装置から前記管理情報及び前記接続情報を受信すると、前記ベアラの制御が前記制御装置から前記他の制御装置に変更されたことを、前記管理エンティティに通知する処理を行うことを特徴とする請求項９に記載のネットワーク。
【請求項１１】
第１装置と第２装置との間に設定されるベアラを中継する中継装置と、前記ベアラの設定のために前記中継装置を制御する制御装置と、を含むネットワークの前記中継装置であって、
前記ベアラの中継のために使用する接続情報を保持する保持手段を備えており、
前記保持手段は、さらに、前記制御装置が前記ベアラの設定制御のために使用する管理情報を保持していることを特徴とする中継装置。
【請求項１２】
前記制御装置の障害を検出する検出手段と、
前記検出手段が前記制御装置の障害を検出すると、他の制御装置を選択する選択手段と、
前記他の制御装置に前記接続情報及び前記管理情報を送信する送信手段と、
をさらに備えていることを特徴とする請求項１１に記載の中継装置。
【請求項１３】
第１装置と第２装置との間に設定されるベアラを中継する中継装置と、前記ベアラの設定のために前記中継装置を制御する制御装置と、を含むネットワークの前記制御装置であって、
前記ベアラの設定制御に使用する管理情報を保持する保持手段を備えており、
前記保持手段は、前記中継装置が前記ベアラの中継に使用する接続情報のうち、前記第１装置と前記第２装置との間に設定される前記ベアラを前記中継装置から他の中継装置に迂回させるのに必要な第１情報を保持することを特徴とする制御装置。
【請求項１４】
前記第１情報は、前記中継装置が、前記第１装置に送信する前記ベアラに対応する信号と、前記第２装置に送信する前記ベアラに対応する信号を、前記第１装置及び前記第２装置に特定させるために使用する情報を含むことを特徴とする請求項１３に記載の制御装置。
【請求項１５】
前記中継装置の障害を検出する検出手段と、
前記検出手段が前記中継装置の障害を検出すると、他の中継装置を選択する選択手段と、
前記他の中継装置に前記接続情報及び前記第１情報を送信する送信手段と、
をさらに備えていることを特徴とする請求項１３又は１４に記載の制御装置。
【発明の詳細な説明】
【技術分野】
【０００１】
本発明は、移動通信ネットワークにおける障害回復技術に関する。
【背景技術】
【０００２】
図１は、第３世代パートナーシッププロジェクト（３ＧＰＰ）の発展型パケットコア（ＥＰＣ：Ｅｖｏｌｖｅｄ  Ｐａｃｋｅｔ  Ｃｏｒｅ）の概略構成を示している。発展型ノードＢ（ｅＮＢ）１は、無線基地局である。サービングゲートウェイ（ＳＧＷ）２は、１つ以上のｅＮＢ１を収容し、ユーザトラフィックの中継を行う。パケットデータネットワークゲートウェイ（ＰＧＷ）３は、インターネット等の外部ネットワークとの接続点に設けられ、ＥＰＣと外部ネットワークとの間でのユーザトラフィックの中継を行う。また、ＰＧＷ３は、図示しないユーザ装置（ＵＥ）へのＩＰアドレスの割り当てを行う。モビリティ管理エンティティ（ＭＭＥ）４は、ＵＥの位置・状態を管理すると共に、ｅＮＢ１とＳＧＷ２との間におけるユーザトラフィックの経路設定等を行う。ホーム加入者サーバ（ＨＳＳ）５は、ユーザの契約情報や認証情報を保持している。なお、図１において、点線は、制御信号の流れを示し、実線はユーザデータの流れを示している。また、ＳＧＷ２に関する、Ｓ１−Ｕ、Ｓ１１、Ｓ５は、３ＧＰＰで規定されるインタフェース名である。図１に示す様に、ＭＭＥ４及びＨＳＳ５は、制御信号のみを処理する装置、つまり、制御プレーンの装置であり、ｅＮＢ１、ＳＧＷ２、ＰＧＷ３は、制御信号及びユーザデータの両方の処理を行う装置、つまり、制御プレーンとユーザプレーンの両方のプレーンに跨る装置である。
【０００３】
図示しないＵＥは、外部ネットワークと通信する場合、ｅＮＢ１からＰＧＷ３に設定されたベアラを使用する。ベアラは、ベアラ識別子（ベアラＩＤ）により識別され、ＵＥが使用するベアラが設定されるＰＧＷ３は、ＵＥに関連付けられたアクセスポイント名（ＡＰＮ）により特定される。このため、ＥＰＣの各ノードは、様々な情報を保持する。例えば、ＳＧＷ２は、ＵＥが使用するベアラについて、ＵＥの国際加入者識別番号（ＩＭＳＩ）、Ｅ−ＵＴＲＡＮセルグローバル識別子（ＥＣＧＩ）、トラッキングエリア識別子（ＴＭＩ）、ＡＰＮ、ベアラＩＤ、トンネルエンドポイント識別子（ＴＥＩＤ）等を保持する。なお、ＥＣＧＩ及びＴＭＩは、ＵＥが在圏するセル及びトラッキングエリアを示す情報であり、ＴＥＩＤは、ベアラが収容されるトンネルの識別子である。
【０００４】
非特許文献１は、ＥＰＣのノード障害時の復旧手順を開示している。非特許文献１によると、ＳＧＷ２が障害になると、当該ＳＧＷ２を通過しているベアラについての情報を当該ＳＧＷ２は削除する。同様に、障害となったＳＧＷ２を通過しているベアラに関する情報を保持している他のノードも、これら情報を削除する。なお、ＵＥは、ＳＧＷ２の障害を認識できない。したがって、ＵＥが、データの送信をトリガしたり、トラッキングエリア更新（ＴＡＵ）を実行したりするまで、当該ＵＥのためのベアラがＥＰＣ内に設定されず、その間に外部ネットワークからＵＥに向けたデータをＵＥは受信することができない。
【先行技術文献】
【非特許文献】
【０００５】
【非特許文献１】"３ｒｄ  Ｇｅｎｅｒａｔｉｏｎ  Ｐａｒｔｎｅｒｓｈｉｐ  Ｐｒｏｊｅｃｔ；  Ｔｅｃｈｎｉｃａｌ  Ｓｐｅｃｉｆｉｃａｔｉｏｎ  Ｇｒｏｕｐ  Ｃｏｒｅ  Ｎｅｔｗｏｒｋ  ａｎｄ  Ｔｅｒｍｉｎａｌｓ；Ｒｅｓｔｏｒａｔｉｏｎ  ｐｒｏｃｅｄｕｒｅｓ，"ＴＳ  ２３．００７，ｖｏｌ．１３．３．０，２０１５年１２月
【非特許文献２】"３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｓｅｒｖｉｃｅｓ  ａｎｄ  Ｓｙｓｔｅｍ  Ａｓｐｅｃｔｓ；Ｇｅｎｅｒａｌ  Ｐａｃｋｅｔ  Ｒａｄｉｏ  Ｓｅｒｖｉｃｅ  （ＧＰＲＳ）  ｅｎｈａｎｃｅｍｅｎｔｓ  ｆｏｒ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ−ＵＴＲＡＮ）  ａｃｃｅｓｓ，"ＴＳ  ２３．４０１（Ｒｅｌｅａｓｅ  １３）,ｖｏｌ．１３.４．０，２０１５年
【非特許文献３】Ｈｉｒｏｙｕｋｉ  Ｉｓｈｉｉ，Ｙｏｓｈｉｈｉｓａ  Ｋｉｓｈｉｙａｍａ  ａｎｄ  Ｈｉｄｅａｋｉ  Ｔａｋａｈａｓｈｉ,"Ａ  ｎｏｖｅｌ  ａｒｃｈｉｔｅｃｔｕｒｅ  ｆｏｒ  ＬＴＥ−Ｂ：Ｃ−ｐｌａｎｅ／Ｕ−ｐｌａｎｅ  ｓｐｌｉｔ  ａｎｄ  ｐｈａｎｔｏｍ  ｃｅｌｌ  ｃｏｎｃｅｐｔ，"ｉｎ  ＩＥＥＥ  Ｇｌｏｂｅｃｏｍ  Ｗｏｒｋｓｈｏｐｓ，２０１２年
【発明の概要】
【発明が解決しようとする課題】
【０００６】
非特許文献１は、改良された復旧手順も開示している。この改良手順によると、ＳＧＷ２の障害時、当該ＳＧＷ２を通過しているベアラについての情報を保持している他のノード、例えば、ＭＭＥ４やＰＧＷ３は、当該ベアラについての情報を、設定された時間の間は維持する。そして、ＭＭＥ４は、当該ベアラが、障害となったＳＧＷ２とは異なる他のＳＧＷ２を介して元のｅＮＢ１とＰＧＷ３との間に設定される様に、ＥＰＣ内の各ノードを制御する。その後、ＵＥ又はＰＧＷ３は、非特許文献２に記載されているＵＥトリガサービス要求又はネットワークトリガサービス要求を実行する。
【０００７】
この様に、改良された復旧手順では、ｅＮＢ１とＰＧＷ３との間のベアラは、障害となったＳＧＷ２を迂回する様に経路変更が行われるが、ＵＥがデータを送受信できるようになるまで、多くの制御信号をＥＰＣ内のノード間で送受信する必要がある。この制御信号はベアラ単位で送受信されるため、ＳＧＷ２の障害により送受信される制御信号の数は膨大なものになり、ＥＰＣの処理負荷が増加する。
【０００８】
本発明は、ベアラを復旧させるための制御負荷の増大を抑えることができるネットワーク、中継装置及び制御装置を提供するものである。
【課題を解決するための手段】
【０００９】
本発明の一態様によると、ネットワークは、第１装置と第２装置との間に設定されるベアラを中継する中継装置と、前記ベアラの設定のために前記中継装置を制御する制御装置と、を含むネットワークであって、前記制御装置は、前記ベアラの設定制御のために使用する管理情報を保持し、前記中継装置は、前記ベアラの中継のために使用する接続情報と、前記管理情報を保持し、前記制御装置は、さらに、前記接続情報のうち、前記第１装置と前記第２装置との間に設定される前記ベアラを前記中継装置から他の中継装置に迂回させるのに必要な第１情報を保持することを特徴とする。
【発明の効果】
【００１０】
本発明によると、ベアラを復旧させるための制御負荷の増大を抑えることができる。
【図面の簡単な説明】
【００１１】
【図１】ＥＰＣの概略構成図。
【図２】一実施形態によるＥＰＣの概略構成図。
【図３】一実施形態によるＳＧＷ−ＣとＳＧＷ−Ｕの関係を示す図。
【図４】一実施形態によるＳＧＷ−ＣとＳＧＷ−Ｕが保持する情報を示す図。
【図５】一実施形態によるＳＧＷ−Ｕ障害時の復旧手順を示すシーケンス図。
【図６】一実施形態によるＳＧＷ−Ｃ障害時の復旧手順を示すシーケンス図。
【発明を実施するための形態】
【００１２】
以下、本発明の例示的な実施形態について図面を参照して説明する。なお、以下の実施形態は例示であり、本発明を実施形態の内容に限定するものではない。また、以下の各図においては、実施形態の説明に必要ではない構成要素については図から省略する。
【００１３】
図２は、本実施形態によるＥＰＣの概略構成図である。なお、図１で既に説明したのと同様の構成要素については、同じ参照符号を付与して、その説明は省略する。本実施形態では、非特許文献３に記載されている様に、図１のＳＧＷ２及びＰＧＷ３それぞれを、データ転送に係わる機能と制御処理に係わる機能に分離する。図２において、ＳＧＷ−Ｕ２１は、ユーザプレーンの装置であり、図１のＳＧＷ２の内のデータ転送に係わる処理を実行する。同様に、ＰＧＷ−Ｕ３１は、図１のＰＧＷ３の内のデータ転送に係わる処理を実行する。また、ＳＧＷ−Ｃ２２は、ＳＧＷ−Ｕ２１の制御装置、つまり、制御プレーンの装置であり、ＳＧＷ−Ｕ２１に関するベアラの設定等をＳＧＷ−Ｕ２１に指示する。同様に、ＰＧＷ−Ｃ３２は、ＰＧＷ−Ｕ３１の制御装置であり、ＰＧＷ−Ｕ３１に関するベアラの設定等をＰＧＷ−Ｕ３１に指示する。
【００１４】
なお、図３に示す様に、１つのＳＧＷ−Ｃ２２は、複数のＳＧＷ−Ｕ２１に接続し、１つのＳＧＷ−Ｕ２１は、少なくとも２つのＳＧＷ−Ｃ２２に接続する。図３においては、ＳＧＷ−Ｃ＃１とＳＧＷ−Ｃ＃２の２つのＳＧＷ−Ｃ２２が、それぞれ、ＳＧＷ−Ｕ＃１〜ＳＧＷ−Ｕ＃６の６つのＳＧＷ−Ｕ２１に接続している。なお、障害の無い通常時、ベアラの設定等の際に、１つのＳＧＷ−Ｕ２１は、接続している複数のＳＧＷ−Ｃ２２の内の１つのみから制御される構成としても、接続している複数のＳＧＷ−Ｃ２２それぞれからベアラ毎に制御される構成としても良い。前者の場合、例えば、ＳＧＷ−Ｕ＃１は、通常時、ＳＧＷ−Ｃ＃１のみから制御され、ＳＧＷ−Ｃ＃２からは制御されない。一方、後者の場合、ＳＧＷ−Ｕ＃１は、通常時、ＳＧＷ−Ｃ＃１及びＳＧＷ−Ｃ＃２それぞれから各ＵＥが使用するベアラ設定のための制御を受ける。
【００１５】
また、本実施形態において、ＳＧＷ−Ｕ２１とＳＧＷ−Ｃ２２は相互に正常性を確認する。例えば、ＳＧＷ−Ｃ＃１は、ＳＧＷ−Ｕ＃１〜ＳＧＷ−Ｕ＃６に繰り返しキープアライブ信号を送信し、ＳＧＷ−Ｕ＃１〜＃Ｕ６のそれぞれは、ＳＧＷ−Ｃ＃１からのキープアライブ信号を所定時間に渡り受信しないと、ＳＧＷ−Ｃ＃１が障害であると判定する。同様に、ＳＧＷ−Ｕ＃１は、ＳＧＷ−Ｃ＃１及びＳＧＷ−Ｃ＃２に繰り返しキープアライブ信号を送信し、ＳＧＷ−Ｃ＃１及びＳＧＷ−Ｃ＃２のそれぞれは、ＳＧＷ−Ｕ＃１からのキープアライブ信号を所定時間に渡り受信しないと、ＳＧＷ−Ｕ＃１が障害であると判定する。なお、ＳＧＷ−Ｃ２２は接続している総てのＳＧＷ−Ｕ２１にキープアライブ信号を送信する必要はなく、その一部にキープアライブ信号を送信する構成であっても良い。例えば、ＳＧＷ−Ｃ＃１が、ＳＧＷ−Ｕ＃１〜ＳＧＷ−Ｕ＃３にキープアライブ信号を送信し、ＳＧＷ−Ｃ＃２が、ＳＧＷ−Ｕ＃４〜ＳＧＷ−Ｕ＃６にキープアライブ信号を送信する構成であっても良い。なお、この場合、ＳＧＷ−Ｃ＃１は、ＳＧＷ−Ｕ＃１〜Ｕ＃３のいずれかの障害を検出すると、この障害の発生を直接、あるいは、間接的にＳＧＷ−Ｃ＃２に通知するように構成する。ＳＧＷ−Ｕ２１によるキープアライブ信号の送信についても同様である。さらに、ＳＧＷ−Ｕ２１とＳＧＷ−Ｃ２２障害検出の方法は、上記態様に限定されず、その他の任意の検出方法を使用できる。
【００１６】
図４（Ａ）及び（Ｂ）は、本実施形態において、１つのベアラについて、当該ベアラが通過するＳＧＷ−Ｕ２１と、当該ベアラの設定制御を行ったＳＧＷ−Ｃ２２が保持する情報の例を示している。ＳＧＷ−Ｕ２１は、データ転送に係わる装置であり、よって、その処理のためには、ＴＥＩＤのみを必要とする。より詳しくは、ＳＧＷ−Ｕ２１は、その処理のために、ＰＧＷ−Ｕ３１側の上り方向のＴＥＩＤ（ＰＧＷ  ＵＬ）と、ＰＧＷ−Ｕ３１側の下り方向のＴＥＩＤ（ＰＧＷ  ＤＬ）と、ｅＮＢ１側の上り方向のＴＥＩＤ（ｅＮＢ  ＵＬ）と、ｅＮＢ１側の下り方向のＴＥＩＤ（ｅＮＢ  ＤＬ）と、の計４つのＴＥＩＤを必要とする。なお、ＴＥＩＤは、パケット伝送のために使用するトンネリングプロトコルで、トンネルを識別するための識別子である。一方、ＳＧＷ−Ｃ２２は、制御に係わる装置であり、よって、その制御のためにＴＥＩＤ以外の情報を必要とする。
【００１７】
以下では、中継装置であるＳＧＷ−Ｕ２１が、その処理に使用する情報を接続情報と呼び、制御装置であるＳＧＷ−Ｃ２２がその処理に使用する情報を管理情報と呼ぶものとする。図４（Ａ）は、本実施形態において、ＳＧＷ−Ｕ２１が保持する情報を示し、下線部は、さらに、ＳＧＷ−Ｕ２１が使用する接続情報を示している。本実施形態において、ＳＧＷ−Ｕ２１は、接続情報のみならず管理情報の総てを保持する。図４（Ｂ）は、本実施形態において、ＳＧＷ−Ｃ２２が保持する情報を示し、下線部は、さらに、ＳＧＷ−Ｃ２２がその処理に必要な管理情報の例を示している。本実施形態において、ＳＧＷ−Ｃ２２は、管理情報のみならず接続情報の一部、具体的には、ＴＥＩＤ（ｅＮＢ  ＤＬ）と、ＴＥＩＤ（ＰＧＷ  ＵＬ）を保持する。以下では、ＳＧＷ−Ｃ２２が保持する接続情報を、救済用接続情報と呼ぶものとする。なお、図４（Ａ）及び（Ｂ）に示す管理情報は、ＳＧＷ−Ｃ２２がその処理に必要な情報の一部であり、ＳＧＷ−Ｃ２２は、さらに、通過するベアラが収容されるＰＧＷ３やｅＮＢ１を特定する情報等も管理情報として保持している。
【００１８】
図５は、ＳＧＷ−Ｕ＃１の障害時、ＳＧＷ−Ｕ＃１を通過するベアラ（以下、対象ベアラと呼ぶ。）の復旧手順を示すシーケンス図である。なお、ＳＧＷ−Ｃ＃１が対象ベアラの設定を制御し、よって、ＳＧＷ−Ｃ＃１及びＳＧＷ−Ｕ＃１のそれぞれが、対象ベアラについて管理情報を保持し、ＳＧＷ−Ｕ＃１が対象ベアラについての接続情報を保持し、ＳＧＷ−Ｃ＃１が対象ベアラについての救済用接続情報を保持しているものとする。なお、図５のシーケンス図では、ＰＧＷ−Ｃ３２とＰＧＷ−Ｕ３１とを纏めてＰＧＷとする。実際には、ＳＧＷ−Ｃ＃１は、ＰＧＷ−Ｃ３２と制御信号を送受信し、ＰＧＷ−Ｃ３２がＰＧＷ−Ｕ３１を制御して対象ベアラの復旧を行う。
【００１９】
Ｓ１０で、ＳＧＷ−Ｃ＃１がＳＧＷ−Ｕ＃１の障害を検出すると、ＳＧＷ−Ｃ＃１は、対象ベアラを経由させるＳＧＷ−Ｕ２１を選択する。ここでは、ＳＧＷ−Ｕ＃２を選択したものとする。なお、対象ベアラを経由させるＳＧＷ−Ｕ２１の選択基準は任意である。例えば、ＳＧＷ−Ｃ＃１は、対象ベアラに関する管理情報のＴＡＩに基づき、対象ベアラを使用しているＵＥに最も近いＳＧＷ−Ｕ２１を選択することができる。ＳＧＷ−Ｃ＃１は、Ｓ１１で、選択したＳＧＷ−Ｕ＃２にセッション作成要求を送信する。このセッション作成要求には、対象ベアラの管理情報と、救済用接続情報、つまり、ＴＥＩＤ（ｅＮＢ  ＤＬ）と、ＴＥＩＤ（ＰＧＷ  ＵＬ）が含まれている。ＳＧＷ−Ｕ＃２は、対象ベアラの管理情報を保存すると共に、ｅＮＢ１側の上り方向のＴＥＩＤであるＴＥＩＤ（ｅＮＢ  ＵＬ）と、ＰＧＷ３側の下り方向のＴＥＩＤであるＴＥＩＤ（ＰＧＷ  ＤＬ）、つまり、ＳＧＷ−Ｕ＃２の受信側のＴＥＩＤを生成し、生成したＴＥＩＤ（ｅＮＢ  ＵＬ）及びＴＥＩＤ（ＰＧＷ  ＤＬ）を含むセッション作成応答をＳ１２でＳＧＷ−Ｃ＃１に送信する。また、ＳＧＷ−Ｕ＃２は、ＳＧＷ−Ｃ＃１から受信した、送信側で使用するＴＥＩＤ、つまり、ＴＥＩＤ（ｅＮＢ  ＤＬ）と、ＴＥＩＤ（ＰＧＷ  ＵＬ）と、自装置で生成した受信側で使用するＴＥＩＤ、つまり、ＴＥＩＤ（ｅＮＢ  ＵＬ）及びＴＥＩＤ（ＰＧＷ  ＤＬ）を保存し、これらＴＥＩＤに基づき対象ベアラの中継が可能になる。
【００２０】
ＳＧＷ−Ｃ＃１は、送信したセッション作成要求の応答としてセッション作成応答を受信すると、Ｓ１３で、対象ベアラの終端点であるＰＧＷ３に、ベアラ変更要求を送信する。このベアラ変更要求には、対象ベアラのベアラＩＤと、ＳＧＷ−Ｕ＃２が生成したＴＥＩＤ（ＰＧＷ  ＤＬ：ＰＧＷ３送信に使用）と、ベアラの迂回先であるＳＧＷ−Ｕ＃２を特定する情報、例えば、ＳＧＷ−Ｕ＃２のアドレスを示す情報が少なくとも含まれる。ベアラ変更要求に含まれるＴＥＩＤ（ＰＧＷ  ＤＬ）を使用してパケットをＳＧＷ−Ｕ＃２に送信することで、ＰＧＷ３は、対象ベアラの変更を行う。つまり、対象ベアラのための下り方向のＴＥＩＤを、Ｓ１３で受信した値に変更する。なお、上り方向（ＰＧＷ３が受信に使用）のＴＥＩＤは変更されない。ＰＧＷ３は、Ｓ１４で、ベアラ変更応答をＳＧＷ−Ｃ＃１に送信する。続いて、ＳＧＷ−Ｃ＃１は、対象ベアラをｅＮＢ１からＳＧＷ−Ｕ＃２に向かわせるため、Ｓ１５で、コンテキスト更新要求を、ＭＭＥ４に送信する。コンテキスト更新要求は、対象ベアラのベアラＩＤと、ＳＧＷ−Ｕ＃２が生成したＴＥＩＤ（ｅＮＢ  ＵＬ）及びＴＥＩＤ（ＰＧＷ  ＤＬ）と、ベアラの迂回先であるＳＧＷ−Ｕ＃２を特定する情報、例えば、ＳＧＷ−Ｕ＃２のアドレスを示す情報が少なくとも含まれる。ＭＭＥ４は、コンテキスト更新要求に含まれる情報に基づき対象ベアラに関して自装置が保持する情報を更新すると共に、Ｓ１５で、コンテキスト更新要求を、ｅＮＢ１に送信する。このコンテキスト更新要求には、対象ベアラのベアラＩＤと、ＳＧＷ−Ｕ＃２が生成したＴＥＩＤ（ｅＮＢ  ＵＬ：ｅＮＢ１が送信に使用）と、ベアラの迂回先であるＳＧＷ−Ｕ＃２を特定する情報が含まれる。コンテキスト更新要求を受信すると、ｅＮＢ１は、対象ベアラの送受信先をＳＧＷ−Ｕ＃２に変更するとともに、上り方向のＴＥＩＤを通知された値に変更する。なお、下り方向のＴＥＩＤは変更されない。これにより、対象ベアラは、ＳＧＷ−Ｕ＃２に迂回され、対象ベアラの復旧が行われる。ｅＮＢ１は、Ｓ１７で、コンテキスト更新応答をＭＭＥ４に送信し、ＭＭＥ４は、Ｓ１８で、コンテキスト更新応答をＳＧＷ−Ｃ＃１に送信する。これにより、ベアラは、ＳＧＷ−Ｕ＃２を経由する様にその経路が変更され、当該ベアラを使用するＵＥは、外部ネットワークとのデータの送受信を行うことができる。
【００２１】
なお、図５に示す手順は、ＵＥがアクティブであるときのものである。ＵＥがアイドルである場合、ベアラはＳＧＷ−Ｕ２１とＰＧＷ３との間でのみ設定されており、ｅＮＢ１とＳＧＷ−Ｕ２１との間には設定されていない。したがって、ＵＥがアイドルである場合、図５のＳ１０からＳ１５までの処理が行われ、ＵＥがアクティブに遷移する際に、ｅＮＢ１からＳＧＷ−Ｕ＃２へのベアラが設定される。
【００２２】
図６は、ＳＧＷ−Ｃ＃１の障害時の復旧手順を示すシーケンス図である。なお、図６は、ＳＧＷ−Ｃ＃１の制御によりＳＧＷ−Ｕ＃１を通過する様に設定したベアラ（以下、対象ベアラと呼ぶ。）に関する情報の復旧手順を示している。
【００２３】
Ｓ２０で、ＳＧＷ−Ｕ＃１がＳＧＷ−Ｃ＃１の障害を検出すると、ＳＧＷ−Ｕ＃１は、当該ベアラの制御を行うＳＧＷ−Ｃ２２を選択する。ここでは、ＳＧＷ−Ｃ＃２を選択したものとする。なお、ＳＧＷ−Ｃ２２の選択基準は任意である。ＳＧＷ−Ｕ＃１は、Ｓ２１で、選択したＳＧＷ−Ｃ＃２にセッション作成要求を送信する。このセッション作成要求には、管理情報及び接続情報が含まれている。ＳＧＷ−Ｃ＃２は、セッション作成要求に含まれる管理情報及び接続情報を保持すると共に、Ｓ２２で、セッション作成応答をＳＧＷ−Ｕ＃１に送信する。また、ＳＧＷ−Ｃ＃２は、Ｓ２３で、対象ベアラの終端点であるＰＧＷ３（ＰＧＷ−Ｃ３２）に、当該対象ベアラの制御が、ＳＧＷ−Ｃ＃１からＳＧＷ−Ｃ＃２に変更されたことをベアラ変更要求で通知する。ベアラ変更要求を受信すると、ＰＧＷ３（ＰＧＷ−Ｃ３２）は、Ｓ２４で、ベアラ変更応答をＳＧＷ−Ｃ＃２に送信する。同様に、ＳＧＷ−Ｃ＃２は、当該ベアラの制御が、ＳＧＷ−Ｃ＃１からＳＧＷ−Ｃ＃２に変更されたことをＭＭＥ５に通知するため、コンテキスト更新要求をＳ２５でＭＭＥ５に送信し、ＭＭＥ５は、Ｓ２６で、コンテキスト更新応答をＳＧＷ−Ｃ＃２に送信する。
【００２４】
以上、本実施形態では、制御装置であるＳＧＷ−Ｃ２２と中継装置であるＳＧＷ−Ｕ２１とが、それぞれ、相互バックアップを行う。つまり、ＳＧＷ―Ｃ２２が、ＳＧＷ−Ｕ２１の障害復旧に必要な救済用接続情報を保持し、ＳＧＷ−Ｕ２１が、ＳＧＷ―Ｃ２２の障害復旧に必要な管理情報を保持する。この構成により、障害復旧に必要な制御信号の送受信を少なくし、よって、障害時のＥＰＣの処理負荷を小さくすることができる。
【符号の説明】
【００２５】
２１：ＳＧＷ−Ｕ、２２：ＳＧＷ−Ｃ、３１：ＰＧＷ−Ｕ、３２：ＰＧＷ−Ｃ、１：ｅＮＢ
【図１】
2018133777.tif 000003
【図２】
2018133777.tif 000004
【図３】
2018133777.tif 000005
【図４】
2018133777.tif 000006
【図５】
2018133777.tif 000007
【図６】
2018133777.tif 000008